(57)【要約】【課題】粘着シート片を離型台紙及び離型性保護シート片から簡単且つスムーズに剥離して、所望の部位に貼ることの出来る両面粘着シートを提供する。【解決手段】両面粘着シート片がその一方の粘着面を向けて離型台紙上に積層され、この両面粘着シート片の他方の粘着面には離型性保護シート片が積層された両面粘着シートにおいて、離型性保護シート片には、両面粘着シート片の一端から外方に突出する摘み部が備えられており、隣接する両面粘着シート片及び離型性保護シート片同士が所定間隔あけて配設され、また両面粘着シート片が透明となっている。【選択図】図２
2007314622.tif 000002
【特許請求の範囲】
【請求項１】
少なくとも１つの両面粘着シート片がその一方の粘着面を向けて離型台紙上に積層され、この両面粘着シート片の他方の粘着面には離型性保護シート片が積層された両面粘着シートにおいて、離型性保護シート片には、両面粘着シート片の一端から外方に突出する摘み部が備えられていることを特徴とする両面粘着シート。
【請求項２】
両面粘着シート片及びこの両面粘着シート片の粘着面に積層された離型性保護シート片が離型台紙上に複数備えられると共に、隣接する両面粘着シート片及び離型性保護シート片同士が所定間隔あけて配設されていることを特徴とする請求項１に記載の両面粘着シート。
【請求項３】
粘着シート片が透明であることを特徴とする請求項１または２に記載の両面粘着シート。
【発明の詳細な説明】
【技術分野】
【０００１】
本発明は、例えばポスターを壁面やガラス面に貼り付けるのに用いる両面粘着シートに関する。
【背景技術】
【０００２】
一般にこの種の両面テープは、離型台紙上に粘着シート材を敷設すると共に、この粘着シート材上に離型性保護シート材を更に積層した上で、離型性保護シート材と粘着シート材とをトムソンなどのカットマシンにより、平面視碁盤の目状にカットして、図４及び図５に示すように、カットされた粘着シート片Ａ及び離型性保護シート片Ｂを、ポスターを壁面やガラス面に貼り付けるのに適切な大きさに形成している。
【０００３】
そして以上の両面粘着シートにより例えばポスターを壁面に貼り付ける際には、先ずカットされた離型性保護シート片Ｂを同じくカットされた粘着シート片Ａと共に離型台紙Ｃから取り外して粘着シート片Ａの露出する粘着面をポスターの裏面に接着した後、粘着シート片Ａから離型性保護シート材Ｂを剥離して、粘着シート片Ａのもう一方の粘着面を露出させた上で、この粘着面を壁面に接着させることで、粘着シート片Ａを介してポスターを壁面に貼り付けるようにしている。
（特許文献１参照）
ところで、この種の両面粘着シートによりポスターなどを壁面に貼り付ける場合、次の不具合がある。
【０００４】
即ち、前記したように、両面粘着シートにより例えばポスターを壁面に貼り付ける際には、まず、離型性保護シート片Ｂを粘着シート片Ａと共に離型台紙Ｃから取り外して、粘着シート片Ａの粘着面をポスターの裏面に接着した後、粘着シート片Ａから離型性保護シート材Ｂを剥離して、粘着シート片Ａのもう一方の粘着面を露出させた上で、この粘着面を壁面に接着させるのであるが、
従来のこの種の両面粘着シートは、図５にも示すように、粘着シート片Ａが、離型性保護シート片Ｂと同じ大きさで、離型性保護シート片Ｂの一方の粘着面全面を覆っていることから、離型性保護シート片Ｂを粘着シート片Ａと共に離型台紙Ｃから取り外し難いし、また更に取り外した粘着シート片Ａから離型性保護シート材Ｂを剥離するのも難しく、ともすると、これらの作業の際に粘着シート片Ａの粘着面に指先が触れるなどして、粘着シート片Ａが指にくっついて、粘着シート片をポスターなどにうまく貼ることが出来ない不具合がある。
【特許文献１】実開平０７−２１７４８号公報
【発明の開示】
【発明が解決しようとする課題】
【０００５】
本発明は、以上の事情に鑑みて開発したものであって、目的とするところは、粘着シート片を離型台紙及び離型性保護シート片から簡単且つスムーズに剥離して、所望の部位に貼ることの出来る両面粘着シートを提供することにある。
【課題を解決するための手段】
【０００６】
前記した目的を達成するために、本発明の請求項１に記載の発明は、少なくとも１つの両面粘着シート片がその一方の粘着面を向けて離型台紙上に積層され、この両面粘着シート片の他方の粘着面には離型性保護シート片が積層された両面粘着シートにおいて、離型性保護シート片には、両面粘着シート片の一端から外方に突出する摘み部が備えられていることを特徴とするものである。
【０００７】
請求項２に記載の発明は、請求項１に記載の両面粘着シートにおいて、両面粘着シート片及びこの両面粘着シート片の粘着面に積層された離型性保護シート片が離型台紙上に複数備えられると共に、隣接する両面粘着シート片及び離型性保護シート片同士が所定間隔あけて配設されていることを特徴とするものである。
【０００８】
請求項３に記載の発明は、請求項１または２に記載の粘着シート片が透明であることを特徴とするものである。
【発明の効果】
【０００９】
請求項１に記載の発明によれば、離型性保護シート片には、両面粘着シート片に貼着していない摘み部が備えられているので、例えば両面粘着シート片を離型性保護シート片と共に離型台紙から剥がす際、摘み部を簡単に指先で摘むことが出来て、離型台紙から両面粘着シート片を離型性保護シート片と共に簡単且つ容易に剥がすことが出来るし、また露出した両面粘着シート片一方の粘着面を、例えばポスターの裏面に貼り付けた後、摘み部を指先等で摘んで、離型性保護シート片を両面粘着シート片から簡単に剥がすことが出来、全体として、指先等が両面粘着シート片に不用意に触れるなどの不具合を解消することが出来る。
【００１０】
請求項２に記載の発明によれば、隣接する両面粘着シート片及び離型性保護シート片同士が所定間隔あけて配設されているので、請求項１に記載の発明の効果に加え、各両面粘着シート片を離型性保護シート片と共に離型台紙からより一層簡単に剥がすことが出来る。
【００１１】
請求項３に記載の発明によれば、請求項１または２に記載の発明の効果に加え、例えばポスターを窓ガラスに貼り付ける際、ポスターのポスター面（表面）に両面粘着シートを貼り付け、この両面粘着シートを介してポスターを窓ガラスに貼り付けても、ポスターのポスター面が両面粘着シート片で覆われることがなく、ポスター面全面を窓ガラス越しに見ることが出来る。
【発明を実施するための最良の形態】
【００１２】
図１〜図３は、本発明にかかる両面粘着シートの一実施形態を表したものであって、図において符号１で示す両面粘着シート１は、平面視横長とした離型台紙２の離型面上に１２枚の両面粘着シート片３が貼着され、更に各両面粘着シート片３上には、離型性保護シート片４がその離型面を各両面粘着シート片３の他方の粘着面に向けて貼着されている。
【００１３】
隣接する両面粘着シート片３及び離型性保護シート片４同士は所定間隔あけて配設されている。
【００１４】
離型台紙２は、厚さ約０．０５ｍｍの紙製シートを縦約５５ｍｍ、横約１２７ｍｍの大きさにカットされたものが使用されており、この離型台紙２には、図１に示すように、ミシン目からなるカットライン２１が設けられている。
【００１５】
両面粘着シート片３は、アクリル樹脂系粘着剤から形成されている。
図に示す両面粘着シート片３は、平面から見て縦及び横寸法が１７ｍｍの正方形に形成されており、また厚さは０．４ｍｍ〜０．５ｍｍとなっている。
【００１６】
一方、離型性保護シート片４は、厚さが約０．０５ｍｍのポリエチレンテレフタレート（ＰＥＴ）製シートから形成されたものであって、この離型性保護シート片４には、両面粘着シート片の一端から外方に突出する摘み部４０が一体に備えられているのであって、実施形態では、この摘み部４０が両面粘着シート片３の一端から５ｍｍ突出している。
【００１７】
尚、離型性保護シート片４の両面粘着シート片３に対する離型性は、離型台紙２の両面粘着シート材３に対する離型性より乏しくなっている。
【００１８】
以上の両面粘着シート１により、例えばポスターを壁面に貼り付ける際には、先ず離型性保護シート片４を粘着シート片３と共に離型台紙２から取り外して、粘着シート片３の露出する粘着面をポスターの裏面に接着した後、両面粘着シート片３から離型性保護シート片４を剥離して、粘着シート片３のもう一方の粘着面を露出させた上で、この粘着面を壁面に接着させることで、粘着シート片３を介してポスターを壁面に貼り付けるのである。
【００１９】
ところで、以上の両面粘着シート１では、両面粘着シート片３の一端よりも外方に延びて、この両面粘着シート片３に貼着していない摘み部４０が離型性保護シート片４に備えられているので、例えば両面粘着シート片３を離型性保護シート片４と共に離型台紙２から剥がす際、摘み部４０を簡単に指先で摘むことが出来て、離型台紙２から両面粘着シート片３を離型性保護シート片４０と共に簡単且つ容易に剥がすことが出来るのである。
【００２０】
また両面粘着シート片３の露出した一方の粘着面を、例えばポスターの裏面に貼り付けた後、摘み部４０を指先等で摘んで、離型性保護シート片４を両面粘着シート片３から簡単且つ容易に剥がすことが出来、全体として、指先等が両面粘着シート片３に不用意に触れるなどの不具合を解消することが出来る。
【００２１】
以上の両面粘着シートでは、両面粘着シート片３が透明であることから、例えばウインドガラス越しにポスターが見られるように、ポスターのポスター面（表面）に両面粘着シート片３を貼り付け、この両面粘着シート片３を介してポスターを窓ガラスの内面側に貼り付けた場合でも、ポスターのポスター面が両面粘着シート片３で覆われることがなく、窓ガラス越しにポスター面全面を明瞭に見ることが出来る。
【００２２】
また以上の実施形態では、隣接する両面粘着シート片３及び離型性保護シート片４同士が所定間隔あけて配設されていることから、所定の両面粘着シート片３を離型性保護シート片４と共に離型台紙２から剥がす際、隣接する両面粘着シート片３及び離型性保護シート片４が剥がし作業の弊害となることがなく、両面粘着シート片３を離型性保護シート片４と共に離型台紙２からスムーズに剥がすことが出来る。
【００２３】
以上の実施形態では、１２枚すべて同じ大きさとした両面粘着シート片3及び離型性保護シート片４を離型台紙上に貼り付けたが、これに限定されるものではなく、各両面粘着シート片3及び離型性保護シート片４の大きさ乃至形状を異ならしめてもよい。
【００２４】
また以上の実施形態では、両面粘着シート片３を透明としたが、これに限定されるものではなく、不透明のものでもよい。
【００２５】
また以上の実施形態では、離型性保護シート片４の一端にのみ摘み部４０を設けたが、これに限定されるものではなく、例えば離型性保護シート片４の両端にそれぞれ摘み部４０を設けてもよい。
【図面の簡単な説明】
【００２６】
【図１】本発明にかかる両面粘着シートの１つの実施の形態を示す平面図。
【図２】要部の拡大断面図。
【図３】両面粘着シート片を離型性保護シート片と共に離型台紙から剥がした状態の説明図。
【図４】従来の両面粘着シートの一例を表す平面図。
【図５】図４に示す従来の両面粘着シートの要部の拡大断面図。
【符号の説明】
【００２７】
１  両面粘着シート
２  離型台紙
３  両面粘着シート片
４  離型性保護シート片
４０  摘み部
【図１】
2007314622.tif 000003
【図２】
2007314622.tif 000004
【図３】
2007314622.tif 000005
【図４】
2007314622.tif 000006
【図５】
2007314622.tif 000007